(57)【要約】【課題】ジャム原稿の装置本体側への張り付きを抑制して、ジャム原稿の除去を容易且つ確実に行うことのできる原稿搬送装置及びこれを使用した画像読取り装置並びに画像形成装置の提供。【解決手段】プルアウトローラ１２ａと中間ローラ１３ａとの間の上給紙ガイド板２７に、矢印Ｂ方向に原稿２６を搬送する搬送経路２９と交差させて下給紙ガイド板７の一部として原稿のガイドの役割を果たす搬送ガイド部２３を設けている。搬送経路２９内でジャムが発生し、原稿２６が搬送経路２９内に詰まった場合には、本体カバー２２を上方に回動させて搬送経路２９を開放した際に、本体カバー２２の回動動作に伴って搬送ガイド部２３も回動し、搬送ガイド部２３の保持部２３ｃで原稿２６が保持されて上方に持ち上げられる。【選択図】図４
2008124582.tif 000002
【特許請求の範囲】
【請求項１】
原稿載置台に設置された原稿を読取り位置に向かって搬送する搬送手段を有し、当該搬送手段は原稿の搬送経路を挟んで対向し、互いに原稿の搬送方向に原稿を搬送する少なくと一対の搬送手段を有し、当該搬送手段の一方を装置本体に配設し、当該搬送手段の他方を本体カバーに配設し、当該本体カバーは、前記搬送手段を外部に露出及び閉塞するように前記装置本体に対して開閉自在に設けられた原稿搬送装置において、
前記本体カバーに取り付けられる搬送手段に隣接して原稿案内手段を配設し、当該案内手段は、本体カバーを開放した際に搬送途中の原稿を保持する保持手段を有することを特徴とする原稿搬送装置。
【請求項２】
請求項１記載の原稿搬送装置において、
前記案内手段が間隔をおいて複数個設けられたことを特徴とする原稿搬送装置。
【請求項３】
請求項１または２記載の原稿搬送装置において、
前記案内手段は、本体カバーに対して着脱自在に取り付けられていることを特徴とする原稿搬送装置。
【請求項４】
請求項１乃至３のいずれか１項記載の原稿搬送装置において、
前記案内部材は、原稿の搬送方向に対して直交する方向の一方側が開放されていることを特徴とする原稿搬送装置。
【請求項５】
原稿載置台に設置された原稿を読取り位置に向かって搬送する搬送手段を有し、当該搬送手段は原稿の搬送経路を挟んで対向し、互いに原稿の搬送方向に原稿を搬送する少なくと一対の搬送手段を有し、当該搬送手段の一方を装置本体に配設し、当該搬送手段の他方を本体カバーに配設し、当該本体カバーは、前記搬送手段を外部に露出及び閉塞するように前記装置本体に対して開閉自在に設けられた原稿搬送手段と、前記原稿に記載された画像を読取る画像読取り手段とを備えた画像読取り装置において、
前記原稿搬送手段は、請求項１乃至４のいずれか１項記載の原稿搬送装置であることを特徴とする画像読取り装置。
【請求項６】
請求項５記載の画像読取り装置を備えたことを特徴とする画像形成装置。
【発明の詳細な説明】
【技術分野】
【０００１】
本発明は、原稿搬送装置、画像読取り装置及び画像形成装置に関する。
【背景技術】
【０００２】
従来から複写機、ファクシミリ装置、スキャナ装置等に適用される画像読取り装置においては、原稿束から原稿を１枚づつ分離して読取り位置に搬送して、原稿に記載された画像を読取るために、原稿載置台に設置された原稿を読取り位置に向かって搬送する搬送手段を有し、当該搬送手段は原稿の搬送経路を挟んで対向し、互いに原稿の搬送方向に原稿を搬送する複数対の搬送手段を有する原稿搬送装置が使用されている。
この原稿搬送装置においては、原稿載置台から搬送された原稿が搬送経路内に詰まりいわゆるジャムが発生した際に、ジャム原稿の除去を容易に行うために、搬送手段の一方を装置本体に配設し、搬送手段の他方を本体カバーに配設し、当該本体カバーは、搬送手段を外部に露出及び閉塞するように装置本体に対して開閉自在に設けられた構造を備えており、ジャムが発生した際に、本体カバーを開放して搬送手段等に挟まれたジャム原稿を容易に取り除けるようになっている（例えば、特許文献１参照）。
【特許文献１】特開２００３−１２１９４７号公報
【発明の開示】
【発明が解決しようとする課題】
【０００３】
しかしながら、特許文献１記載のものでは、原稿を直線的に搬送させる形式の原稿搬送装置においては、ジャム原稿の除去を適切に行うことができるが、原稿搬送装置の小型化等のために、原稿を屈曲させながら搬送させる形式のものにおいては、本体カバーを開放した際に、原稿が装置本体側に張り付いてジャム原稿の除去が困難になるという問題がある。
本発明は、上記実情を考慮してなされたものであり、ジャム原稿の装置本体側への張り付きを抑制して、ジャム原稿の除去を容易且つ確実に行うことのできる原稿搬送装置及びこれを使用した画像読取り装置並びに画像形成装置を提供することを目的とする。
【課題を解決するための手段】
【０００４】
上記課題を解決するために、請求項１に記載の発明は、原稿載置台に設置された原稿を読取り位置に向かって搬送する搬送手段を有し、当該搬送手段は原稿の搬送経路を挟んで対向し、互いに原稿の搬送方向に原稿を搬送する少なくと一対の搬送手段を有し、当該搬送手段の一方を装置本体に配設し、当該搬送手段の他方を本体カバーに配設し、当該本体カバーは、前記搬送手段を外部に露出及び閉塞するように前記装置本体に対して開閉自在に設けられた原稿搬送装置において、本体カバーに取り付けられる搬送手段に隣接して原稿案内手段を配設し、当該案内手段は、本体カバーを開放した際に搬送途中の原稿を保持する保持手段を有することを特徴とする。
また、請求項２の発明は、請求項１記載の原稿搬送装置において、前記案内手段が間隔をおいて複数個設けられたことを特徴とする。
【０００５】
また、請求項３の発明は、請求項１または２記載の原稿搬送装置において、前記案内手段は、本体カバーに対して着脱自在に取り付けられていることを特徴とする。
また、請求項４の発明は、請求項１乃至３のいずれか１項記載の原稿搬送装置において、前記案内部材は、原稿の搬送方向に対して直交する方向の一方側が開放されていることを特徴とする。
また、請求項５の発明は、原稿載置台に設置された原稿を読取り位置に向かって搬送する搬送手段を有し、当該搬送手段は原稿の搬送経路を挟んで対向し、互いに原稿の搬送方向に原稿を搬送する少なくと一対の搬送手段を有し、当該搬送手段の一方を装置本体に配設し、当該搬送手段の他方を本体カバーに配設し、当該本体カバーは、前記搬送手段を外部に露出及び閉塞するように前記装置本体に対して開閉自在に設けられた原稿搬送手段と、前記原稿に記載された画像を読取る画像読取り手段とを備えた画像読取り装置において、前記原稿搬送手段は、請求項１乃至４のいずれか１項記載の原稿搬送装置であることを特徴とする。
また、請求項６の発明は、請求項５記載の画像読取り装置を備えたことを特徴とする画像形成装置としたものである。
【発明の効果】
【０００６】
本発明によれば、上記構成を採用することによって、ジャム原稿の装置本体側への張り付きを抑制して、ジャム原稿の除去を容易且つ確実に行うことのできる原稿搬送装置及びこれを使用した画像読取り装置並びに画像形成装置を提供することができる。
【発明を実施するための最良の形態】
【０００７】
以下、図面を参照して、本発明の実施形態を詳細に説明する。
【実施例１】
【０００８】
図１は、本発明による一実施形態の画像読取り装置の概略構成を示す図である。この画像読取り装置は、原稿搬送部２４と画像読取り部２５とから構成されており、画像読取り部２５は、読取り位置１７でランプ３１から照射された光の反射光をミラー３２で反射してＣＣＤ３３で原稿に記載された画像を読取る。
一方、原稿搬送部２４は、原稿載置台２と上下のガイド板７及び２７で形成されたＵ字状の搬送経路２９を有し、この搬送経路２９内を原稿が搬送されるように、回転駆動するプルアウトローラ１２ａ、１２ｂ、中間ローラ１３ａ、１３ｂ、読取り入口ローラ１４ａ、１４ｂ、読取り出口ローラ１８ａ、１８ｂ、排紙ローラ２０ａ、２０ｂ等の複数対の搬送ローラ等からなる搬送手段を備えている。
【０００９】
原稿搬送部２４においては、原稿は原稿載置台２上にセットされた後、ピックアップローラ６、駆動ローラ１０ａと従動ローラ１０ｂに懸架された給紙ベルト１０、リバースローラ９により、原稿載置台２上に載置された原稿束からその最上位原稿が分離されて給紙が開始される。分離された原稿は搬送経路２９内を搬送手段によって搬送されて、読取位置１７で画像の読取りがなされ、その後、排紙トレイ２１上へ排出される。
また、原稿搬送部２４には、大きいサイズの原稿を支持する原稿テーブル１、原稿の側辺をガイドする原稿奥ガイド３、原稿セットセンサ４、原稿セットフィラー５、突き当てセンサ１１、レジストセンサ１５を備えており、原稿が適切にセット、及び搬送がなされているかを検知可能となっている。
【００１０】
この原稿搬送部２４は、給紙や原稿読取り中に、原稿のジャムが発生した場合に、ジャム原稿を搬送経路２９内から容易に除去するために、搬送経路２９内の搬送手段やガイド板の一部を上下に分離可能とし、分離可能な複数対ある搬送手段やガイド板の一方を装置本体３０に取り付け、分離可能な搬送手段やガイド板の他方を原稿搬送部２４を保護する本体カバー２２に取り付けられている。そして、本体カバー２２を装置本体３０に取り付けた枢軸２８上で回動自在に取り付け、原稿ジャムが発生したときに、本体カバー２を回動させて搬送経路２９の一部を上下に分離、開放してジャム原稿を容易に取り出せるようになっている。
即ち、装置本体３０には、リバースローラ９、プルアウトローラ１２ｂ、中間ローラ１３ｂ、読取り入口ローラ１４ａ、１４ｂ、読取りローラ１６、読取り出口ローラ１８ａ、１８ｂ、排紙ローラ２０ａ、２０ｂａ及び下給紙ガイド板７がこれらの位置を固定して取り付けられている。一方、本体カバー２２には、駆動ローラ１０ａと従動ローラ１０ｂに懸架された給紙ベルト１０、プルアウトローラ１２ａ、中間ローラ１３ａ及び上給紙ガイド板２７が取り付けられ、本体カバー２２は、図２に示すように、枢軸２８を支点として矢印Ａ方向に回動自在に取り付けられ、本体カバー２２を上方に回動させて開放したときに、プルアウトローラ１２ａ、１２ｂ、中間ローラ１３ａ、１３ｂが外部に露出されるようになっている。従って、搬送経路２９内に挟まれたジャム原稿を、本体カバー２２を開放することによって容易に取り出すことが可能となる。
【００１１】
従来の原稿搬送部は、以上の構成を備えていたが、本体カバー２２を上方に回動させて開放した際に、原稿が下給紙ガイド板７に張り付いたりして、原稿の除去を適切に行うことができない場合があった。本発明においては、この点を改善するために、プルアウトローラ１２ａと中間ローラ１３ａとの間の上給紙ガイド板２７に、矢印Ｂ方向に原稿２６を搬送する搬送経路２９と交差させて下給紙ガイド板７の一部として原稿のガイドの役割を果たす搬送ガイド部２３を設けている。搬送ガイド部２３は、図３に示すように、断面コ字状を有しており、左右（幅方向両端）の側壁２３ａ、２３ｂの上端間を連接する保持部２３ｃを有し、側壁２３ａ、２３ｂと保持部２３ｃによって囲まれた領域内を原稿が挿通可能な貫通部２３ｄを有している。貫通部２３ｄは、搬送方向に貫通している。従って、図４（Ａ）に示すように、本体カバー２２を閉塞して、原稿載置台２から原稿２６を搬送させたときは、原稿２６は、搬送ガイド部２３の貫通部２３ｄ内を走行することなり、搬送ガイド部２３によって原稿２６の上面、側辺、下面がガイドされることになる。この場合に、原稿２６の搬送をスムーズに行うために、保持部２３ｃの内面が下給紙ガイド板７の表面と同一高さとなるように、下給紙ガイド板７の搬送ガイド部２３と対向する部分に凹部７ａが形成され、この凹部７ａ内に保持部２３ｃが没入されるようになっている。
【００１２】
一方、搬送経路２９内でジャムが発生し、原稿２６が搬送経路２９内に詰まった場合には、図４（Ｂ）に示すように、本体カバー２２を上方に回動させて搬送経路２９を開放した際に、本体カバー２２の回動動作に伴って搬送ガイド部２３も上方に退避し、搬送ガイド部２３の保持部２３ｃで原稿２６が保持されて上方に持ち上げられる。従って、ジャム原稿２６の持ち上げられた部分を把持することによって、容易かつ確実に搬送経路２９から取り除くことが可能となる。この場合に、本実施例においては、搬送ガイド部２３の保持部２３ｃは、側壁２３ａ、２３ｂの上端と連結された連結板状に形成されているが、側壁２３ａ、２３ｂと連結させる必要はなく、連結板の中間部を取り除いて非連結状の２個のＬ状の搬送ガイド部２３とし、側壁２３ａ、２３ｂの上端から屈曲させた２つの保持部２３ｃで原稿２６を保持するようにすることもできる。
【００１３】
また、搬送ガイド部２３は、上給紙ガイド板２７と一体に形成しているが、必ずしも一体である必要はなく、別体に形成し、搬送ガイド部２３の側壁２３ａ、２３ｂの下端を上給紙ガイド板２７に嵌合させる構造等とし、上給紙ガイド板２７の清掃時等、必要に応じて搬送ガイド部２３を上給紙ガイド板２７から取り外し自在とすることもできる。このように、搬送ガイド部２３を上給紙ガイド板２７から着脱可能な構成にすることにより、原稿から発生する紙紛等の清掃が容易に行うことができる等、保守、点検を容易に行うことができる利点がある。
【実施例２】
【００１４】
図５は、本発明による他の実施形態の原稿搬送部の概略構成を示す図である。なお、図５中、図１と同一構成については、同一符号を付し説明を省略する。本実施例においては、前述の実施例１のものを改良し、搬送ガイド部をプルアウトローラ１２ａと中間ローラ１３ａとの間の設ける以外に、給紙ベルト１０とプルアウトローラ１２ａ及び中間ローラ１３ａの後方近隣の３個所２３１、２３２、２３３に設けたものである。このように、搬送ガイド２３１、２３２、２３３を、間隔を置いて複数個所に設けた場合には、原稿サイズが大きいものから小さい原稿についてのジャム原稿の除去が可能となり、小さいサイズの原稿でジャムが発生しても複数個所のいずれかの搬送ガイド部２３１、２３２、２３３で保持可能となる利点を有する。
【実施例３】
【００１５】
図６は、本発明による他の実施形態に係る原稿搬送部の概略構成を示す図である。本実施例においては、図１で示す搬送ガイド部２３の側壁２３ａ、２３ｂの一方を取り除き、一方側を開放して搬送方向Ｂと直交する方向Ｃへ原稿を移動させて取り除くことを可能としたものである。このように、ジャム原稿の取り出し方向を２方向としているので、ジャム原稿の除去を円滑に行うことができる利点を有する。
【実施例４】
【００１６】
図７は、実施例１の画像読取り装置を適用したタンデム中間転写方式のフルカラー複写機の全体構成を示す図である。
本実施例によるフルカラー複写機は、画像形成部本体１００、画像形成部本体１００を載せる給紙テーブルユニット２００、画像形成部本体１００上に取り付けるスキャナ３００、スキャナ３００上に取り付けられた原稿自動搬送装置（ＡＤＦ）４００等から構成されている。ＡＤＦ４００において、前述の実施例１で示す画像読取装置の原稿搬送部２４が適用されている。
【００１７】
装置本体１００の中央には、イエロー（Ｙ）、シアン（Ｃ）、マゼンタ（Ｍ）、ブラック（Ｂｋ）の４色の画像形成ユニット１０１Ｙ、１０１Ｃ、１０１Ｍ、１０１Ｂｋを横に並べて配置してタンデム画像形成装置が構成されている。タンデム画像形成装置２０の各画像形成ユニット１０１Ｙ、１０１Ｃ、１０１Ｍは、それぞれＹ、Ｃ、Ｍ、Ｂｋの各色トナー像が形成される感光体４０を有している。各画像形成ユニット１０１Ｙ、１０１Ｃ、１０１Ｍ、１０１Ｂｋの上方には、露光装置２１が設けられている。露光装置２１は、スキャナ３００で読取った原稿の画像情報を光変調した各色毎のレーザ光がポリゴンスキャナにより偏向走査され各色の感光体４０に照射して感光体４０上に静電潜像を形成し、感光体４０の周囲に取りつけられた現像装置によって感光体４０上の静電潜像が顕像化されてトナー像が形成される。
【００１８】
各画像形成ユニット１０１Ｙ、１０１Ｃ、１０１Ｍ、１０１Ｂｋの下方には、無端ベルト状の中間転写ベルト１０２が設置されている。中間転写ベルト１０は、各色の感光体４０から中間転写ベルト１０２にトナー像を転写する。中間転写ベルト１０２の下方には、２次転写装置１０３を備える。２次転写装置１０３は、中間転写ベルト１０２上の画像を記録紙等の記録媒体１０４に転写する。２次転写装置２２の横には、記録媒体１０４上の画像を定着する定着装置１０５を設け、定着装置１０５によっては、画像転写後の記録媒体１０４上の画像を定着する。
このフルカラー複写機に前述の実施例１の画像読取り装置を適用しているので、原稿の搬送時にジャムが発生しても、カバー２２を回動させて搬送経路２９を開放して、ジャム原稿を適切に除去することができる。
【産業上の利用可能性】
【００１９】
上記実施例においては、画像読取り装置を複写機に適用した例について説明したが、その他ファクシミリ等の画像形成装置にも適用可能である。
【図面の簡単な説明】
【００２０】
【図１】本発明による実施例１に係る画像読取り装置の概略構成を示す断面図である。
【図２】本発明による実施例１に係る原稿搬送部の概略構成を示し、本体カバーを開放した際の断面図である。
【図３】本発明による実施例１に係る本体カバーの斜視図である。
【図４】本発明による実施例１に係る原稿搬送部の断面図で、（Ａ）は本体カバーを閉塞した場合の断面図、（Ｂ）は本体カバーを開放した場合の断面図である。
【図５】本発明による実施例２に係る本体カバーを開放した際の原稿搬送部の断面図である。
【図６】本発明による実施例３に係る本体カバーの斜視図である。
【図７】本発明による実施例４に係る複写機の全体構成を示す断面図である。
【符号の説明】
【００２１】
２  原稿載置台
６  ピックアップローラ
７  下給紙ガイド板
９  リバースローラ
１０  給紙ベルト
１２ａ、１２ｂ  プルアウトローラ
１３ａ、１３ｂ  中間ローラ
１４ａ、１４ｂ  読取入口ローラ
１６  読取ローラ
１７  読取位置
１８ａ、１８ｂ  読取出口ローラ
２０ａ、２０ｂ  排紙ローラ
２２  本体カバー
２３  搬送ガイド
２３ａ、２３ｂ  側壁
２３ｃ  保持部
２３ｄ  貫通部
２４  原稿搬送部
２５  画像読取部
２７  上給紙ガイド板
２７ａ  凹部
２８  枢軸
２９  搬送経路
３０  装置本体
３１  ランプ
３２  ミラー
３３  ＣＣＤ
４０  感光体
１００  画像形成部本体
１０１Ｙ、１０１Ｃ、１０１Ｍ、１０１Ｂｋ  画像形成ユニット
１０２  転写ベルト
１０３  ２次転写部
１０４  記録媒体
１０５  定着装置
【図１】
2008124582.tif 000003
【図２】
2008124582.tif 000004
【図３】
2008124582.tif 000005
【図４】
2008124582.tif 000006
【図５】
2008124582.tif 000007
【図６】
2008124582.tif 000008
【図７】
2008124582.tif 000009